(57)【特許請求の範囲】
【請求項１】
真空緊束式気体包装袋であって、  上下に重ね合わされた２枚の外膜と、  前記２枚の外膜の間に配置され、相互間に耐熱材料が塗布された２枚の内膜と、  前記２枚の外膜間に加熱溶着で形成され、気体を保存するために用いる複数の気体密封体と、  前記気体密封体の側辺部に配置されるとともに、その一部に空気充填口を備える空気充填路と、  加熱溶着で前記２枚の内膜を接着して形成され、前記複数個の気体密封体と前記空気充填路を相通させるために用い、気体が前記空気充填口を通じて前記空気充填路へ入り、該空気充填路から複数個の空気進入口を経由して前記複数個の気体密封体に充填され、前記複数個の気体密封体内の気体が前記２枚の内膜を圧迫して密封する複数個の空気進入口と、  前記空気充填路に配置され、それぞれ前記外膜のいずれかと前記内膜のいずれかの間に設けられ、且つ、前記外膜と前記内膜を接着する複数個の加熱溶着点と、  前記気体密封体の片側を折り曲げて形成した第一緩衝壁と、  前記気体密封体の他方の側を折り曲げて形成した第二緩衝壁と、  前記第一緩衝壁と前記第二緩衝壁の間に形成され、物品を収容するために用い、真空吸引を通じて、前記第一緩衝壁と前記第二緩衝壁で前記物品が緊束される収容空間と、を含み、 そのうち、前記各気体密封体が少なくとも１つのヒートシール点と、前記ヒートシール点を囲んで設けられた少なくとも１つの環状部を含み、前記各気体密封体に気体が充填されて膨張したとき、前記物品を前記ヒートシール点に嵌入させ、前記物品を前記ヒートシール点に嵌入すると、前記環状部により前記物品が包み込まれることを特徴とする、  真空緊束式気体包装袋。
【請求項２】
さらに前記収容空間の気体を吸い出すために用いる空気抜き取り部材を含むことを特徴とする、請求項１に記載の真空緊束式気体包装袋。
【請求項３】
前記空気充填路が加熱溶着で前記２枚の外膜、前記２枚の内膜のいずれかを接着して形成されることを特徴とする、請求項１に記載の真空緊束式気体包装袋。
【請求項４】
前記気体密封体の各前記環状部が相互に通じていることを特徴とする、請求項１に記載の真空緊束式気体包装袋。
【請求項５】
相隣する前記気体密封体に設置された前記環状部が互い違いに排列されていることを特徴とする、請求項４に記載の真空緊束式気体包装袋。
【請求項６】
さらに前記気体密封体の側辺部に設けられた少なくとも１つのカット線を含むことを特徴とする、請求項１に記載の真空緊束式気体包装袋。
【請求項７】
真空緊束式気体包装袋の包装方法であって、  ２枚の内膜を提供し、  ２枚の外膜を重ね合わせ、前記２枚の内膜を前記外膜の間に介在させ、  加熱溶着で前記外膜と前記内膜を接着し、前記外膜に複数個の気体密封体と空気充填口を備える空気充填路を形成し、前記内膜は加熱溶着を経ても相互に接着されずに複数個の空気進入口を形成し、各前記空気進入口と各前記複数個の気体密封体と前記空気充填路を相通させ、且つ、前記空気充填路内に複数個の加熱溶着点を形成し、各前記加熱溶着点が前記外膜のいずれかと前記内膜のいずれかの間に配置され、並びに、前記外膜と前記内膜を接着し、加熱溶着で前記外膜を接着し、前記気体密封体に少なくとも１つのヒートシール点を形成し、加熱溶着で前記外膜を接着し、前記気体密封体に少なくとも１つの環状部を形成し、各環状部が１つの前記ヒートシール点を囲んで設けられ、  前記複数個の気体密封体を折り曲げて第一緩衝壁と第二緩衝壁を形成し、  加熱溶着で前記第一緩衝壁と前記第二緩衝壁の２つの側辺部を接着して収容空間を形成し、  前記収容空間内に物品を入れ、  前記収容空間内の気体を抜き取り、前記第一緩衝壁と前記第二緩衝で前記物品を緊束する、という手順を含む、  真空緊束式気体包装袋の包装方法。
【請求項８】
加熱溶着で前記外膜と前記内膜を接着する手順において、さらに、加熱溶着で前記２枚の内膜を接着し、前記気体密封体の側辺部に空気充填路を形成し、前記空気充填路内の気体が各前記空気進入口を経由して各前記気体密封体に充填される、という手順を含む、請求項５に記載の真空緊束式気体包装袋の包装方法。
【請求項９】
加熱溶着で前記外膜と前記内膜を接着する手順において、さらに、加熱溶着で前記２枚の外膜を接着し、前記気体密封体の側辺部に空気充填路を形成し、前記空気充填路内の気体が各前記空気進入口を経由して各前記気体密封体に充填される、という手順を含む、請求項５に記載の真空緊束式気体包装袋の包装方法。
【請求項１０】
加熱溶着で前記外膜と前記内膜を接着する手順の後に、さらに、各前記空気進入口を経由して気体を各前記気体密封体に充填する、という手順を含む、請求項７に記載の真空緊束式気体包装袋の包装方法。
【請求項１１】
前記物品を前記収容空間内に入れる手順の後に、さらに、各前記空気進入口を経由して気体を各前記気体密封体に充填する、という手順を含む、請求項７に記載の真空緊束式気体包装袋の包装方法。
【請求項１２】
前記収容空間内の気体を抜き取る手順の後に、さらに、各前記空気進入口を経由して気体を各前記気体密封体に充填する、という手順を含む、請求項７に記載の真空緊束式気体包装袋の包装方法。
【請求項１３】
前記収容空間内の気体を抜き取る手順の後に、さらに、加熱溶着で前記２枚の外膜を接着し、前記収容空間を閉じる、という手順を含む、請求項７に記載の真空緊束式気体包装袋の包装方法。
【請求項１４】
加熱溶着で前記外膜と前記内膜を接着する手順の後に、さらに、前記気体密封体の側辺部にカット線を製作する、という手順を含む、請求項７に記載の真空緊束式気体包装袋の包装方法。
【発明の詳細な説明】
【技術分野】
【０００１】
本発明は気体包装袋及びその包装方法に関し、特に、真空緊束式気体包装袋及びその包装方法に関する。
【背景技術】
【０００２】
一般に物品を包装するとき、物品を紙箱内に直接入れるが、紙箱は物品を包装できるだけで緩衝保護の効果がないことから、物品の運搬時の揺れによって破損してしまうことがあるため、包装時に多くが緩衝材料を入れて紙箱の緩衝保護効果を向上している。
一般によく見受けられる方法は、スポンジを物品と紙箱の間に詰め、スポンジの軟らかさで物品に緩衝保護を提供する方法である。
しかしながら、スポンジはコストが高いため、包装コストが高くなって経済的でなく、且つ、スポンジは処理が難しく、環境保護の問題を引き起こしやすい。
さらに、スポンジは物品の表面に密着させることができるものの、ぶつけたときの保護効果に優れず、往々にして物品が衝撃を受けて破損してしまう。
【０００３】
もう一つのよく使用される緩衝材料に発泡スチロールがある。まず発泡スチロールで物品を被覆し、それを紙箱内に入れ、物品が運搬の過程でぶつからないようにしている。
発泡スチロールは物品の揺れによる破損を防ぐことができるものの、発泡スチロールの体積は大きく、大量の空間を占用してしまい、また微生物による分解が容易でなく、焼却処理では人体に有害なガスが放出され、重大な環境汚染を引き起こし、環境保護に対する意識が高まる今日、発泡スチロールは理想的な緩衝材料とは言えない。
さらに、異なる寸法、大きさの物品で発泡スチロール包装を共用することができず、異なるサイズの発泡スチロールを使用する必要があるため、資源上の無駄を招くだけでなく、同時に物品の包装コストが高くなってしまう。
【０００４】
上述の問題を解決するため、加熱溶着で２枚のプラスチックフィルムを接着して成る気体包装袋が用いられるようになり、物品の揺れに対する緩衝保護効果を提供している。
気体包装袋は優れた緩衝保護を提供することができるものの、物品に鋭角や金属の角部などがあると、物品が気体包装袋内で揺れて気体包装袋を突き破ってしまうことがあり、気体包装袋に小さな穴が開いてしまうと、気体包装袋内の気体が漏れ出し、気体包装袋の緩衝保護効果が失われてしまい、ひいては物品の包装コストが高くなってしまう。
この問題を解決するため、気体包装袋のプラスチックフィルムを強化または厚くして物品に突き破られないようにすることができるが、連続した大量生産においては気体包装袋の単一面を強化または増厚することができず、全面的に強化または増厚しなければならないため、製造コストが大幅に増加し、市場競争力が失われてしまう。
【０００５】
本発明は上述した点に鑑み、如何にして物品が運送過程でぶつかって破損したり、傷がついたりしないように保護し、且つ気体包装袋が物品に突き破られやすいという問題を解決し、緩衝材料の製造コストを抑えられる、物品に良好な緩衝保護技術を提供するものである。
【発明の開示】
【発明が解決しようとする課題】
【０００６】
本発明の目的は、物品に良好な緩衝保護を提供し、且つ気体包装袋が物品に突き破られやすいという問題を解決し、緩衝材料の製造コストを抑えることができる、真空緊束式気体包装袋およびその包装方法を提供することにある。
【課題を解決するための手段】
【０００７】  本発明の真空緊束式気体包装袋は、上下に重ね合わされた２枚の外膜と、前記２枚の外膜の間に配置され、相互間に耐熱材料が塗布された２枚の内膜と、前記２枚の外膜間に加熱溶着で形成され、気体を保存するために用いる複数の気体密封体と、前記気体密封体の側辺部に配置されるとともに、その一部に空気充填口を備える空気充填路と、加熱溶着で前記２枚の内膜を接着して形成され、前記複数個の気体密封体と前記空気充填路を相通させるために用い、気体が前記空気充填口を通じて前記空気充填路へ入り、該空気充填路から複数個の空気進入口を経由して前記複数個の気体密封体に充填され、前記複数個の気体密封体内の気体が前記２枚の内膜を圧迫して密封する複数個の空気進入口と、前記空気充填路に配置され、それぞれ前記外膜のいずれかと前記内膜のいずれかの間に設けられ、且つ、前記外膜と前記内膜を接着する複数個の加熱溶着点と、前記気体密封体の片側を折り曲げて形成した第一緩衝壁と、前記気体密封体の他方の側を折り曲げて形成した第二緩衝壁と、前記第一緩衝壁と前記第二緩衝壁の間に形成され、物品を収容するために用い、真空吸引を通じて、前記第一緩衝壁と前記第二緩衝壁で前記物品が緊束される収容空間と、を含み、そのうち、前記各気体密封体が少なくとも１つのヒートシール点と、前記ヒートシール点を囲んで設けられた少なくとも１つの環状部を含み、前記各気体密封体に気体が充填されて膨張したとき、前記物品を前記ヒートシール点に嵌入させ、前記物品を前記ヒートシール点に嵌入すると、前記環状部により前記物品が包み込まれることを特徴とする。【０００８】  本発明の真空緊束式気体包装袋の包装方法は、次の手順を含む。２枚の内膜を提供する。２枚の外膜を重ね合わせ、２枚の内膜を外膜の間に配置する。加熱溶着で前記外膜と前記内膜を接着し、前記外膜に複数個の気体密封体と空気充填口を備える空気充填路を形成し、前記内膜は加熱溶着を経ても相互に接着されずに複数個の空気進入口を形成し、各前記空気進入口と各前記複数個の気体密封体と前記空気充填路を相通させ、且つ、前記空気充填路内に複数個の加熱溶着点を形成し、各前記加熱溶着点が前記外膜のいずれかと前記内膜のいずれかの間に配置され、並びに、前記外膜と前記内膜を接着し、加熱溶着で前記外膜を接着し、前記気体密封体に少なくとも１つのヒートシール点を形成し、加熱溶着で前記外膜を接着し、前記気体密封体に少なくとも１つの環状部を形成し、各環状部が１つの前記ヒートシール点を囲んで設けられる。前記複数個の気体密封体を折り曲げて第一緩衝壁と第二緩衝壁を形成する。加熱溶着で第一緩衝壁と第二緩衝壁の２つの側辺部を接着し、収容空間を形成する。物品を収容空間内に入れる。収容空間内の気体を抜き取り、第一緩衝壁と第二緩衝壁で物品を緊束する。
【発明の効果】
【０００９】
本発明は物品を収容空間内に収容し、気体密封体に空気が充填されて膨張しているときは、第一緩衝壁と第二緩衝壁で物品を緊束することができ、物品が収容空間内で固定されて気体包装袋に伴って揺れ動くことがなく、物品に対する緩衝保護が強化され、且つ気体包装袋が物品に突き破られやすいという問題を解決することができる。
【発明を実施するための最良の形態】
【００１０】
本発明の最良の実施例及びその効果について、以下、図面に基づき詳細に説明する。
【実施例１】
【００１１】
図１、図２、図３Ａ及び図３Ｂに本発明の実施例１を示す。図１に空気充填後の立体図、図２に空気充填前の平面図、図３Ａに空気充填後の断面図、図３Ｂに図３Ａ図の部分拡大図をそれぞれ示す。
【００１２】
真空緊束式気体包装袋は、密封袋２と収容空間１０を含む。
【００１３】
密封袋２は、１つ以上の気体密封体２０から構成される。
そのうち、密封袋２は折り曲げられて第一緩衝壁２１と第二緩衝壁２２を形成し、このほか、各気体密封体２０は空気進入口２ｅを含み、気体を気体密封体２０に進入させ、気体を充填して膨張させるために用いられる。
【００１４】
本発明の密封袋２は、２枚の外膜２ａと２ｂを上下に重ね合わせた後、２枚の外膜２ａと２ｂの間に２枚の内膜１ａと１ｂを設置し、且つ加熱溶着で加熱溶着点２ｃを形成して外膜２ａと内膜１ａ、外膜２ｂと内膜１ｂを接着する。
２枚の外膜２ａと２ｂが加熱溶着で接着され、同時に加熱溶着で２枚の内膜１ａと１ｂが接着されて、２枚の外膜２ａと２ｂの間に気体密封体２０が形成される。２枚の内膜１ａと１ｂの間には耐熱材料１ｃが塗布され、加熱溶着を経ても相互に接着されず、２枚の内膜１ａと１ｂの間に１つ以上の空気進入口２ｅが形成され、気体密封体２０と外部を相通させるために用いられる。
このほか、各空気進入口２ｅは気体通路１４に接続され、そのうち、気体通路１４は２枚の内膜１ａと１ｂの間に耐熱材料１ｃを塗布した後、加熱溶着で２枚の内膜１ａと１ｂを接着し、２枚の内膜１ａと１ｂの間に形成される。
【００１５】
収容空間１０は第一緩衝壁２１と第二緩衝壁２２の間に位置し、物品１００を収容するために用いられる。
収容空間１０は内部の気体が吸い出され、第一緩衝壁２１と第二緩衝壁２２で物品１００を緊束する。使用者は空気抜き取り部材５により収容空間１０の気体を抜き取り、収容空間１０に真空状態に近い状態、または真空状態を形成する。
【００１６】
このほか、気体包装袋はさらに気体密封体２０の側辺部に位置する空気充填路９を含み、気体密封体２０は空気充填路９の片側に並べて排列され、且つ、空気進入口２ｅにより気体密封体２０と空気充填路９が相通される。
そのうち、空気充填路９は加熱溶着で２枚の外膜２ａと２ｂを接着して気体が流通できる空間を形成し、且つ空気充填路９の一端に空気充填口９ａを形成する。空気充填口９ａに進入した気体が空気充填路９を膨張させると、２枚の外膜２ａと２ｂが外側に向かって開かれ、同時に加熱溶着点２ｃが２枚の内膜１ａと１ｂを動かして外側に向かって開かせ、これにより空気進入口２ｅが開かれて、気体が気体通路１４に沿って気体密封体２０へと進入し、気体密封体２０に空気を充填して膨張させることができる。
気体密封体２０に空気が充填されて膨張すると、気体密封体２０の気体の内部圧力が２枚の内膜１ａと１ｂを圧迫して外膜２ａまたは２ｂに緊密に貼り付かせ（構造の違いにより、２枚の内膜１ａと１ｂは外膜２ａまたは２ｂに貼り付かせずに気体密封体２０中に懸掛させてもよい）、気体通路１４を覆って気体密封体２０を密封し、気体密封体２０内の気体が外部に漏れ出ないようにする効果を達することができる。
【００１７】
図４と図５に本発明の実施例１を示す。図４に真空にする時の断面図、図５に真空にした後の断面図をそれぞれ示す。
【００１８】
使用者が物品１００を収容空間１０に入れると、第一緩衝壁２１と第二緩衝壁２２により物品１００が緊束され、物品１００が収容空間１０内に固定されて気体包装袋に伴って揺れ動くことがない。
続いて、収容空間１０の気体を抜き取って真空にすると、第一緩衝壁２１と第二緩衝壁２２の物品１００に対する緊束効果をより強化することができ、物品１００が収容空間１０内に固定され、気体包装袋に伴って揺れ動くことがない。真空にした後、加熱溶着で２枚の外膜２ａと２ｂを接着し、収容空間１０を閉じて物品１００が収容空間１０から出ないようにする。
【００１９】
これにより、物品１００を収容空間１０内に固定し、気体包装袋に伴って揺れ動くことがないようにし、物品１００に対する緩衝保護を強化することができる。このほか、物品１００に鋭角や金属の角部があっても、この設計により物品１００が揺れても気体包装袋が物品１００の鋭角または金属の角部に突き破られないようにすることができる。
【００２０】
上述で説明した気体包装袋は、まず物品１００を収容空間１０内に入れ、その後密封袋２に対して気体の充填を行っても、密封袋２に気体を充填し、密封袋２が膨張した後に物品１００を収容空間１０内に入れてもよく、気体の充填と物品１００の配置が完了した後に気体を抜き取って真空にすることができる。
このほか、物品１００を収容空間１０内に入れ、気体を抜き取って真空にした後に密封袋２に対して気体の充填を行うこともできる。
【実施例２】
【００２１】
図６に本発明の実施例２の空気充填前の平面図を示す。
【００２２】
この実施例においては、相隣する気体密封体２０と気体密封体２０の間にカット線８を設け、使用者がこのカット線８に沿って切り離し、各気体密封体２０を独立した状態で使用したり、使用者の必要に応じて必要な数の気体密封体２０に切って使用したりすることができる。
【実施例３】
【００２３】
図７に本発明の実施例３の空気充填後の立体図を示す。
【００２４】
密封袋２は１つの気体密封体２０のみとし、且つ複数の空気進入口２ｅを設置して、複数の気体通路１４に沿って気体を気体密封体２０に進入させ、気体密封体２０に迅速に気体を充填し、膨張させることができる。
【実施例４】
【００２５】
図８、図９及び図１０に本発明の実施例４を示す。図８に空気充填前の平面図、図９に空気充填後の断面図、図１０に真空にした後の断面図をそれぞれ示す。
【００２６】
気体包装袋はさらに、少なくとも１つのヒートシール点２０ａ及び少なくとも１つの環状部２０ｂが気体密封体２０上に形成される。
そのうち、ヒートシール点２０ａは加熱溶着で２枚の外膜２ａと２ｂを接着して形成され、各環状部２０ｂは各ヒートシール点２０ａを囲んで設けられる。
気体密封体２０に気体を充填して膨張させ、物品１００をヒートシール点２０ａに嵌入し、且つ環状部２０ｂで物品１００を包み込み、空気抜き取り部材５で収容空間１０の気体を吸い出すと、物品１００が気体包装袋に伴って揺れ動くのを防ぐと共に、物品１００に対する緩衝保護をより強化することができる。
【００２７】
本発明の構造に基づき、気体密封体２０の各環状部２０ｂは相互に通じているものとし、このため、気体密封体２０に気体が充填されて膨張するとき、設置された各環状部２０ｂが気体密封体２０気体充填に伴って膨張する。
このほか、相隣する気体密封体２０に設置した環状部２０ｂは互い違いに排列し、且つ、相隣する気体密封体２０に設置した環状部２０ｂは相互に通じていないものとする。
【００２８】
本発明の真空緊束式気体包装袋の包装方法は、次の手順を含む。
【００２９】
手順１：密封袋２を提供する。
密封袋２は１つ以上の気体密封体２０から構成され、且つ、折り曲げにより第一緩衝壁２１と第二緩衝壁２２を形成する。
このほか、本発明はさらに上下に重ね合わせた２枚の外膜２ａと２ｂを含み、加熱溶着で２枚の外膜２ａと２ｂ間を接着し、気体密封体２０が形成される。
２枚の内膜１ａと１ｂの間には耐熱材料１ｃが塗布され、加熱溶着を経ても相互に接着されず、２枚の内膜１ａと１ｂの間に１つ以上の空気進入口２ｅが形成され、気体密封体２０と外部を相通させるために用いられ、且つ、各空気進入口２ｅには気体通路１４が接続される。
このほか、気体包装袋はさらに気体密封体２０の側辺部に位置する空気充填路９を含み、且つ、空気充填路９の一端に空気充填口９ａが形成される。
【００３０】
手順２：密封袋２を折り曲げて第一緩衝壁２１と第二緩衝壁２２を形成する。
【００３１】
そのうち、密封袋２は折り曲げてＵ字形状を形成し、Ｕ字形状の両側の気体密封体２０が第一緩衝壁２１と第二緩衝壁２２を成す。
【００３２】
手順３：加熱溶着で第一緩衝壁２１と第二緩衝壁２２の２つの側辺部を接着し、収容空間１０を形成する。
【００３３】
Ｕ字形状の密封袋２は加熱溶着で第一緩衝壁２１と第二緩衝壁２２の２つの側辺部を接着し、第一緩衝壁２１と第二緩衝壁２２の間に物品１００を収容するための収容空間１０が形成される。
【００３４】
このほか、手順３の後、さらに気体密封体２０の側辺部に位置するカット線８の製作を含むことができ、使用者がカット線８に沿って切り離し、各気体密封体２０を独立した状態で使用できるようにすることができる。
【００３５】
手順４：物品１００を収容空間１０内に入れる。
【００３６】
手順５：収容空間内の気体を抜き取り、第一緩衝壁２１と第二緩衝壁２２で物品１００を緊束する。
【００３７】
そのうち、使用者は空気抜き取り部材５で収容空間１０の気体を抜き取って、収容空間１０を真空に近い状態または真空状態にし、第一緩衝壁２１と第二緩衝壁２２で物品１００を緊束する。
これにより、物品１００が収容空間１０内に固定され、気体包装袋に伴って揺れ動くことがなく、物品１００に対する緩衝保護が強化されるだけでなく、物品１００が揺れ動くことで気体包装袋が物品１００の鋭角または金属の角部により突き破られるのを防ぐことができる。
【００３８】
本発明の方法に基づき、さらに、真空にした後、加熱溶着で２枚の外膜２ａと２ｂを接着し、収容空間１０を閉じて物品１００が収容空間１０から出ないようにする手順を含むことができる。
【００３９】
上述の説明において、使用者は物品１００を収容空間１０に入れ、２枚の外膜２ａと２ｂを外側に向かって開き、空気進入口２ｅを開かせて、気体通路１４に沿って空気充填路９の気体を気体密封体２０に進入させ、気体密封体２０に気体を充填して膨張させる。気体密封体２０が膨張された後、気体密封体２０の気体の内部圧力が２枚の内膜１ａと１ｂを圧迫して緊密に外膜２ａまたは２ｂに緊密に貼り付かせ（構造の違いにより、２枚の内膜１ａと１ｂは外膜２ａまたは２ｂに貼り付かせずに気体密封体２０中に懸掛させてもよい）、気体通路１４を覆って気体密封体２０を密封し、気体密封体２０内の気体が外部に漏れ出ないようにする効果を達することができる。
【００４０】
さらに、本発明は加熱溶着で２枚の外膜２ａと２ｂを接着し、気体密封体２０上にヒートシール点２０ａを形成し、且つヒートシール点２０ａの外側に環状部２０ｂを形成する手順を含むことができ、各環状部２０ｂで各ヒートシール点２０ａの周囲を囲んで設ける。
気体密封体２０に気体を充填して膨張させ、物品１００をヒートシール点２０ａに嵌入し、且つ環状部２０ｂで物品１００を包み込む。
このほか、気体密封体２０の各環状部２０ｂは相互に通じているものとし、このため、気体密封体２０に気体が充填されて膨張するとき、設置された各環状部２０ｂが気体密封体２０気体充填に伴って膨張する。
【００４１】
本発明の気体包装袋は、まず物品１００を収容空間１０内に入れ、その後密封袋２に対して気体の充填を行っても、先に密封袋２に対して気体の充填を行い、密封袋２の膨張が完了した後に物品１００を収容空間１０内に入れてもよく、且つ、気体の充填と物品１００の配置が完了した後に気体の抜き取りを行うことができる。
このほか、物品１００を収容空間１０内に入れ、気体を抜き取って真空にした後に密封袋２に対して気体の充填を行うこともできる。
【００４２】
上述の説明において、空気充填路９は２枚の外膜２ａと２ｂを加熱溶着で接着して形成したものを例として示したが、本発明の空気充填路９は加熱溶着で２枚の外膜２ａと２ｂを接着して形成したものに限られず、加熱溶着で２枚の内膜１ａと１ｂを接着して空気充填路９を形成することもできることをここで述べておく。
【００４３】
本発明は物品１００を収容空間１０内に固定し、気体包装袋に伴って揺れ動くことがないようにして、物品１００に対する緩衝保護を強化できるだけでなく、物品１００が揺れ動いて気体包装袋を突き破るのを防ぐことができ、また、本発明の外膜２ａまたは２ｂは、別途強化したり、増厚したりする必要がなく、大幅に気体包装袋の製造コストを抑えることができる。
【００４４】
本発明の技術内容は上述の最良の実施例を以って開示したが、上述の説明は本発明を制限するものではなく、関連技術を熟知する者であれば本発明の要旨を逸脱せずに変更や修飾が可能であり、それらはすべて本発明の範疇内に含まれるものとする。
【図面の簡単な説明】
【００４５】
【図１】本発明の実施例１の空気充填後の立体図である。
【図２】本発明の実施例１の空気充填前の平面図である。
【図３Ａ】本発明の実施例１の空気充填後の断面図である。
【図３Ｂ】図３Ａの部分拡大図である。
【図４】本発明の実施例１の真空にするときの断面図である。
【図５】本発明の実施例１の真空にした後の断面図である。
【図６】本発明の実施例２の空気充填前の平面図である。
【図７】本発明の実施例３の空気充填後の立体図である。
【図８】本発明の実施例４の空気充填前の平面図である。
【図９】本発明の実施例４の空気充填後の断面図である。
【図１０】本発明の実施例４の真空にした後の断面図である。
【符号の説明】
【００４６】
１ａ        内膜
１ｂ        内膜
１ｃ        耐熱材料
１４        気体通路
２          密封袋
２ａ        外膜
２ｂ        外膜
２ｃ        加熱溶着点
２ｅ        空気進入口
１０        収容空間
２０        気体密封体
２０ａ      ヒートシール点
２０ｂ      環状部
２１        第一緩衝壁
２２        第二緩衝壁
５          空気抜き取り部材
８          カット線
９          空気充填路
９ａ        空気充填口
１００      物品
【図１】
0004922913.tif 000002
【図２】
0004922913.tif 000003
【図３Ａ】
0004922913.tif 000004
【図３Ｂ】
0004922913.tif 000005
【図４】
0004922913.tif 000006
【図５】
0004922913.tif 000007
【図６】
0004922913.tif 000008
【図７】
0004922913.tif 000009
【図８】
0004922913.tif 000010
【図９】
0004922913.tif 000011
【図１０】
0004922913.tif 000012